【手続補正書】
【提出日】平成19年3月12日(2007.3.12)
【手続補正１】
【補正対象書類名】特許請求の範囲
【補正対象項目名】全文
【補正方法】変更
【補正の内容】
【特許請求の範囲】
【請求項１】
画像出力機器より出力された画像信号を入力して所定の解像度で表示を行う表示装置において、
前記入力された画像信号の解像度を変換する解像度変換手段と、
前記解像度変換手段によって解像度を変換された画像と第一の画像とを切り替えて出力する第一の切り替え手段と、
前記第一の切り替え手段によって切り替えられた画像と第二の画像とを切り替えて出力する第二の切り替え手段と、
前記第二の切り替え手段によって切り替えられた画像を表示する表示手段と、
前記表示手段の表示画面上の位置を示すと共に１つ以上の指示を含む指示信号を発生する指示手段と、
前記指示手段が発生する位置座標に応じて、前記指示信号の変換処理を行う指示信号変換手段と、
前記指示信号変換手段の出力信号を前記画像出力機器へ出力する指示信号出力手段とを備えたことを特徴とする表示装置。
【請求項２】
前記解像度変換手段は、解像度変換の対象である画像の特徴を検出する画像特徴検出手段を有し、該画像特徴検出手段の検出結果に応じて、複数の解像度変換方法の中から所定の解像度変換方法を選択して解像度変換を行う構成であり、
前記指示信号変換手段は、前記選択された解像度変換方法に応じて、前記指示信号を変換して出力することを特徴とする請求項１に記載の表示装置。
【請求項３】
前記指示信号変換手段は、前記指示手段が発生する位置座標に応じて、前記指示信号の位置情報を変換して出力することを特徴とする請求項１に記載の表示装置。
【請求項４】
前記指示信号変換手段は、前記指示手段が発生する位置座標に応じて、前記指示信号が含む指示を変換して出力することを特徴とする請求項１に記載の表示装置。
【請求項５】
前記指示信号変換手段は、前記指示手段が発生する指示信号が含む指示に応じて、前記指示信号の位置情報を変換して出力することを特徴とする請求項１に記載の表示装置。
【請求項６】
前記指示信号変換手段は、画像の拡大表示時の補間方法に応じて、前記指示信号の位置情報を変換して出力することを特徴とする請求項１に記載の表示装置。
【請求項７】
前記指示手段が前記第一の画像を示す位置に応じて、表示モードを切り替える表示モード切り替え手段を備え、
前記指示信号変換手段は、前記表示モード切り替え手段の切り替え結果に応じて、前記指示信号を変換して出力することを特徴とする請求項１に記載の表示装置。
【請求項８】
前記指示信号変換手段は、前記表示モードが表示画像の移動のモードまたは拡大のモードであるときに、前記指示信号としてクリックによって発生した信号をポイント信号に変換して出力することを特徴とする請求項７に記載の表示装置。
【請求項９】
画像出力機器より出力された画像信号を入力して所定の解像度で表示を行う表示装置の制御方法において、
前記入力された画像信号の解像度を変換する解像度変換工程と、
前記解像度変換工程で解像度を変換された画像と第一の画像とを切り替えて出力する第一の切り替え工程と、
前記第一の切り替え工程で切り替えられた画像と第二の画像とを切り替えて出力する第二の切り替え工程と、
前記第二の切り替え工程で切り替えられた画像を表示手段に表示する表示工程と、
前記表示手段の表示画面上の位置を示すと共に１つ以上の指示を含む指示信号を発生する指示工程と、
前記指示工程で発生した位置座標に応じて、前記指示信号の変換処理を行う指示信号変換工程と、
前記指示信号変換工程で得られた出力信号を前記画像出力機器へ出力する指示信号出力工程とを順次実行することを特徴とする表示装置の制御方法。
【請求項１０】
画像出力機器より出力された画像信号を入力して所定の解像度で表示を行う表示装置の制御方法を実行するための、コンピュータで読み取り可能な制御プログラムであって、
前記入力された画像信号の解像度を変換する解像度変換ステップと、
前記解像度変換ステップで解像度を変換された画像と第一の画像とを切り替えて出力する第一の切り替えステップと、
前記第一の切り替えステップで切り替えられた画像と第二の画像とを切り替えて出力する第二の切り替えステップと、
前記第二の切り替えステップで切り替えられた画像を表示手段に表示する表示ステップと、
前記表示手段の表示画面上の位置を示すと共に１つ以上の指示を含む指示信号を発生する指示ステップと、
前記指示ステップで発生した位置座標に応じて、前記指示信号の変換処理を行う指示信号変換ステップと、
前記指示信号変換ステップで得られた出力信号
を前記画像出力機器へ出力する指示信号出力ステップとを備えたことを特徴とする制御プログラム。
【手続補正２】
【補正対象書類名】明細書
【補正対象項目名】０００７
【補正方法】変更
【補正の内容】
【０００７】
上記目的を達成するために、本発明の表示装置では、画像出力機器より出力された画像信号を入力して所定の解像度で表示を行う表示装置において、前記入力された画像信号の解像度を変換する解像度変換手段と、前記解像度変換手段によって解像度を変換された画像と第一の画像とを切り替えて出力する第一の切り替え手段と、前記第一の切り替え手段によって切り替えられた画像と第二の画像とを切り替えて出力する第二の切り替え手段と、
前記第二の切り替え手段によって切り替えられた画像を表示する表示手段と、前記表示手段の表示画面上の位置を示すと共に１つ以上の指示を含む指示信号を発生する指示手段と、前記指示手段が発生する位置座標に応じて、前記指示信号の変換処理を行う指示信号変換手段と、前記指示信号変換手段の出力信号を前記画像出力機器へ出力する指示信号出力手段とを備えたことを特徴とする。
本発明の表示装置の制御方法では、画像出力機器より出力された画像信号を入力して所定の解像度で表示を行う表示装置の制御方法において、前記入力された画像信号の解像度を変換する解像度変換工程と、前記解像度変換工程で解像度を変換された画像と第一の画像とを切り替えて出力する第一の切り替え工程と、前記第一の切り替え工程で切り替えられた画像と第二の画像とを切り替えて出力する第二の切り替え工程と、前記第二の切り替え工程で切り替えられた画像を表示手段に表示する表示工程と、前記表示手段の表示画面上の位置を示すと共に１つ以上の指示を含む指示信号を発生する指示工程と、前記指示工程で発生した位置座標に応じて、前記指示信号の変換処理を行う指示信号変換工程と、前記指示信号変換工程で得られた出力信号を前記画像出力機器へ出力する指示信号出力工程とを順次実行することを特徴とする。
本発明の制御プログラムでは、画像出力機器より出力された画像信号を入力して所定の解像度で表示を行う表示装置の制御方法を実行するための、コンピュータで読み取り可能な制御プログラムであって、前記入力された画像信号の解像度を変換する解像度変換ステップと、前記解像度変換ステップで解像度を変換された画像と第一の画像とを切り替えて出力する第一の切り替えステップと、前記第一の切り替えステップで切り替えられた画像と第二の画像とを切り替えて出力する第二の切り替えステップと、前記第二の切り替えステップで切り替えられた画像を表示手段に表示する表示ステップと、前記表示手段の表示画面上の位置を示すと共に１つ以上の指示を含む指示信号を発生する指示ステップと、前記指示ステップで発生した位置座標に応じて、前記指示信号の変換処理を行う指示信号変換ステップと、前記指示信号変換ステップで得られた出力信号を前記画像出力機器へ出力する指示信号出力ステップとを備えたことを特徴とする。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】